(57)【要約】  カメラレンズの物体側に結合するように構成された電子ディスプレイを含み、カメラレンズ用の電子ディスプレイの物体側の画像をフィルタリングするように構成されたカメラレンズ用フィルタ。コントローラは、電子ディスプレイのフィルタリングを電気的に制御するように構成されている。入力は、コントローラを制御するためのコントロールを受信するためのものである。【選択図】図１
2021521702.tif 000002
【特許請求の範囲】
【請求項１】
カメラレンズ用のフィルタであって、
該カメラレンズの物体側に結合するように構成された電子ディスプレイであって、該カメラレンズ用の該電子ディスプレイの物体側の画像をフィルタリングするように構成された電子ディスプレイと、
該電子ディスプレイの該フィルタリングを電気的に制御するように構成されたコントローラと、
該コントローラを制御するためのコントロールを受信するための入力と、
を備える、前記フィルタ。
【請求項２】
前記電子ディスプレイが、前記画像をフィルタリングするための液晶を内部に含む、請求項１に記載のフィルタ。
【請求項３】
前記電子ディスプレイが、前記画像をフィルタリングするための１つ以上の有機発光ダイオードを内部に含む、請求項１に記載のフィルタ。
【請求項４】
前記電子ディスプレイに結合されたハウジングをさらに備え、前記コントローラおよび前記入力が該ハウジング内に配置されている、請求項１に記載のフィルタ。
【請求項５】
前記ハウジングが、前記電子ディスプレイのためのフレームの少なくとも一部を含む、請求項４に記載のフィルタ。
【請求項６】
前記電子ディスプレイが、前記カメラレンズに結合するためのマットボックスに着脱可能に結合するように構成された、請求項１に記載のフィルタ。
【請求項７】
前記電子ディスプレイが、前面と、背面と、１つ以上の側面と、を含み、前記ハウジングが、該１つ以上の側面に配置されている、請求項１に記載のフィルタ。
【請求項８】
前記電子ディスプレイが１つ以上の画素を含む、請求項１に記載のフィルタ。
【請求項９】
前記電子ディスプレイが画素のアレイを含む、請求項１に記載のフィルタ。
【請求項１０】
前記電子ディスプレイが、該電子ディスプレイを透過する光の量を減少させることにより、該電子ディスプレイの前記物体側の前記画像をフィルタリングするように構成された、請求項１に記載のフィルタ。
【請求項１１】
前記電子ディスプレイが、該電子ディスプレイを透過した光を拡散させることによって、該電子ディスプレイの前記物体側の前記画像をフィルタリングするように構成された、請求項１に記載のフィルタ。
【請求項１２】
前記電子ディスプレイが、該電子ディスプレイを透過した光を広げることによって、該電子ディスプレイの前記物体側の前記画像をフィルタリングするように構成された、請求項１に記載のフィルタ。
【請求項１３】
前記電子ディスプレイが、前記画像に重畳された光を出射することによって、該電子ディスプレイの前記物体側の前記画像をフィルタリングするように構成された、請求項１に記載のフィルタ。
【請求項１４】
前記電子ディスプレイが、該電子ディスプレイの前記物体側の前記画像を、該画像の全ての色に対して実質的に等しくフィルタリングするように構成された、請求項１に記載のフィルタ。
【請求項１５】
前記電子ディスプレイが、第１の部分と第２の部分とを含み、該第１の部分と該第２の部分の両方が光を通過させるように構成され、前記コントローラは、該第１の部分が前記画像をフィルタリングすると同時に該第２の部分が該画像をフィルタリングしないように、該電子ディスプレイの前記フィルタリングを電気的に制御するように構成された、請求項１に記載のフィルタ。
【請求項１６】
前記コントローラは、前記第２の部分が前記画像をフィルタリングすると同時に前記第１の部分が該画像をフィルタリングしないように、前記電子ディスプレイの前記フィルタリングを電気的に制御するように構成された、請求項１５に記載のフィルタ。
【請求項１７】
前記入力が、無線信号受信機を備える、請求項１に記載のフィルタ。
【請求項１８】
カメラシステム用のフィルタであって、
該カメラシステムの光路内の該カメラシステムの一部に結合するように構成された電子ディスプレイであって、該カメラシステム用の該電子ディスプレイの物体側の画像をフィルタリングするように構成されており、１つ以上の有機発光ダイオードを含んだ該電子ディスプレイと、
該電子ディスプレイの該フィルタリングを電気的に制御するように構成されたコントローラと、
該コントローラを制御するためのコントロールを受信するための入力と、を備える、前記フィルタ。
【請求項１９】
前記カメラシステムのカメラレンズと該カメラシステムの受像器との間で該カメラシステムに結合するように構成された、請求項１８に記載のフィルタ。
【請求項２０】
前記フィルタが、前記カメラシステムのカメラレンズの物体側で該カメラシステムに結合するように構成された、請求項１８に記載のフィルタ。
【請求項２１】
前記電子ディスプレイが、前記画像に重畳された光を出射することによって、該電子ディスプレイの前記物体側の前記画像をフィルタリングするように構成された、請求項１８に記載のフィルタ。
【請求項２２】
カメラレンズを含むカメラと、
該カメラレンズの物体側に結合するように構成された電子ディスプレイであって、該カメラレンズ用の該電子ディスプレイの物体側の画像をフィルタリングするように構成された電子ディスプレイと、
該電子ディスプレイの該フィルタリングを電気的に制御するように構成されたコントローラと、
該コントローラを制御するためのコントロールを受信するための入力と、
を備える、前記カメラシステム。
【請求項２３】
前記カメラが、フィルムカメラまたはデジタルカメラである、請求項２２に記載のカメラシステム。
【請求項２４】
マットボックスをさらに備え、前記電子ディスプレイ、前記コントローラ、および前記入力が、該マットボックスに着脱可能に結合されるように構成されたユニットとして結合されている、請求項２２に記載のカメラシステム。
【請求項２５】
前記電子ディスプレイが、１つ以上の画素を含む、請求項２２に記載のカメラシステム。
【請求項２６】
前記電子ディスプレイが、前記画像をフィルタリングするための液晶、または該画像をフィルタリングするための１つ以上の有機発光ダイオード、またはそれらの組み合わせを内部に含む、請求項２２に記載のカメラシステム。
【請求項２７】
前記入力に前記コントロールを提供するために、該入力に無線で接続するための制御端末をさらに備える、請求項２２に記載のカメラシステム。
【請求項２８】
カメラレンズを含むカメラと、
該カメラシステムの光路内の該カメラシステムの一部に結合するように構成された電子ディスプレイであって、該カメラシステム用の該電子ディスプレイの物体側の画像をフィルタリングするように構成されており、１つ以上の有機発光ダイオードを含んだ該電子ディスプレイと、
該電子ディスプレイの該フィルタリングを電気的に制御するように構成されたコントローラと、
該コントローラを制御するためのコントロールを受信するための入力と、
を備える、前記カメラシステム。
【請求項２９】
前記フィルタが、前記カメラレンズと前記カメラシステムの受像器との間で該カメラシステムに結合するように構成された、請求項２８に記載のカメラシステム。
【請求項３０】
前記フィルタが、前記カメラレンズの物体側で前記カメラシステムに結合するように構成された、請求項２８に記載のカメラシステム。
【請求項３１】
前記電子ディスプレイが、前記画像に重畳された光を出射することによって、該電子ディスプレイの前記物体側の前記画像をフィルタリングするように構成された、請求項２８に記載のフィルタ。
【請求項３２】
カメラレンズの画像をフィルタリングする方法であって、
該カメラレンズの物体側に配置された電子ディスプレイを用いて、該カメラレンズの物体側の該画像を該カメラレンズ用にフィルタリングするステップを含む、前記方法。
【請求項３３】
前記電子ディスプレイの前記フィルタリングを変化させるステップをさらに含む、請求項３２に記載の方法。
【請求項３４】
前記電子ディスプレイの前記フィルタリングを動的に変化させるステップをさらに含む、請求項３３に記載の方法。
【請求項３５】
前記電子ディスプレイが、前記画像をフィルタリングするための１つ以上の画素を含む、請求項３２に記載の方法。
【請求項３６】
前記電子ディスプレイが、前記画像をフィルタリングするための液晶、または該画像をフィルタリングするための１つ以上の有機発光ダイオード、またはそれらの組み合わせを内部に含む、請求項３２に記載の方法。
【請求項３７】
前記電子ディスプレイのフィルタリングを変化させるために、該電子ディスプレイに無線でコントロールを送信するステップをさらに含む、請求項３２に記載の方法。
【請求項３８】
カメラシステムのために画像をフィルタリングする方法であって、
該カメラシステムの光路内に配置された電子ディスプレイを用いて、該カメラシステム用の該電子ディスプレイの物体側の該画像をフィルタリングするステップを含み、
該電子ディスプレイは、１つ以上の有機発光ダイオードを含む、前記方法。
【請求項３９】
前記電子ディスプレイの前記フィルタリングを変化させるステップをさらに含む、請求項３８に記載の方法。
【請求項４０】
前記電子ディスプレイの前記フィルタリングを動的に変化させるステップをさらに含む、請求項３９に記載の方法。
【請求項４１】
前記電子ディスプレイが、前記画像をフィルタリングするための１つ以上の画素を含む、請求項３８に記載の方法。
【請求項４２】
前記電子ディスプレイが、前記画像に重畳された光を出射することによって、該電子ディスプレイの前記物体側の前記画像をフィルタリングするように構成された、請求項３８に記載の方法。
【発明の詳細な説明】
【背景技術】
【０００１】
（背景）
カメラ用のフィルタは、カメラに入射する光の量を減らしたり、他の光学効果（画像の色を変化させるなど）を生成するのに使用される。これらのフィルタは、フィルタによって生成される光学効果を変化させるために手作業で交換する必要がある。映画製作においては、撮影中にフィルタを手作業で交換することはできない。また、撮影の合間にフィルタを交換する手間がかかることで、映画制作のコストが高くなってしまうこともある。例えば、カメラが高いクレーンに設置されている場合、手作業でフィルタを交換するためにはクレーンを下げる必要がある。
【０００２】
そのため、手作業でフィルタを交換する必要がなく、カメラのフィルタリングを変化させる、より効率的な方法が必要となる。
【発明の概要】
【０００３】
（概要）
本開示は、電子ディスプレイを有するフィルタを提供することによって、上記のニーズに向けられている。電子ディスプレイのフィルタリングは、使用される電子技術の特定のタイプに応じて、動的に、画素単位で変化させてもよい。
【０００４】
１つの実施形態では、カメラレンズの物体側に結合するように構成され、カメラレンズ用の電子ディスプレイの物体側の画像をフィルタリングするように構成された電子ディスプレイを備えるカメラレンズ用のフィルタが開示されている。コントローラは、電子ディスプレイのフィルタリングを電気的に制御するように構成されている。入力は、コントローラを制御するためのコントロールを受信するためのものである。
【０００５】
１つの実施形態では、カメラシステムの光路内のカメラシステムの一部に結合するように構成され、カメラシステム用の電子ディスプレイの物体側の画像をフィルタリングするように構成された電子ディスプレイを備えるカメラシステム用のフィルタが開示されている。電子ディスプレイは、１つ以上の有機発光ダイオードを含んでいる。コントローラは、電子ディスプレイのフィルタリングを電気的に制御するように構成されている。入力は、コントローラを制御するためのコントロールを受信するためのものである。
【０００６】
１つの実施形態では、カメラレンズを含むカメラを備えるカメラシステムが開示されている。電子ディスプレイは、カメラレンズの物体側に結合するように構成され、カメラレンズ用の電子ディスプレイの物体側の画像をフィルタリングするように構成さている。コントローラは、電子ディスプレイのフィルタリングを電気的に制御するように構成されている。入力は、コントローラを制御するためのコントロールを受信するためのものである。
【０００７】
１つの実施形態では、カメラレンズを含むカメラを備えるカメラシステム用のフィルタが開示されている。電子ディスプレイは、カメラシステムの光路内のカメラシステムの一部に結合するように構成され、カメラシステム用の電子ディスプレイの物体側の画像をフィルタリングするように構成されており、電子ディスプレイは、１つ以上の有機発光ダイオードを含んでいる。コントローラは、電子ディスプレイのフィルタリングを電気的に制御するように構成されている。入力は、コントローラを制御するためのコントロールを受信するためのものである。
【０００８】
１つの実施形態では、カメラレンズの物体側に配置された電子ディスプレイを用いて、カメラレンズ用のカメラレンズの物体側の画像をフィルタリングするステップを含む、カメラレンズ用の画像をフィルタリングする方法が開示されている。
【０００９】
１つの実施形態では、カメラシステムの光路内に配置された電子ディスプレイを用いて、カメラシステム用の電子ディスプレイの物体側の画像をフィルタリングするステップを含み、電子ディスプレイが、１つ以上の有機発光ダイオードを含む、カメラシステム用の画像をフィルタリングする方法が開示されている。
【図面の簡単な説明】
【００１０】
（図面の簡単な説明）
本明細書で開示されるシステム、装置、及び方法の特徴及び利点は、明細書、特許請求の範囲、及び添付図面を参照することによりさらに深く理解されることが分かるであろう。
【００１１】
【図１】本開示の実施形態に係るフィルタの正面図を示す。
【００１２】
【図２】図1に示したフィルタとは異なるフィルタリングを有する、図1に示したフィルタの正面図を示す。
【００１３】
【図３】図1に示したフィルタとは異なるフィルタリングを有する、図1に示したフィルタの正面図を示す。
【００１４】
【図４】本開示の実施形態に係る制御端末の制御インターフェースの正面図を示す。
【００１５】
【図５】図5A、5B、および5Cは、それぞれ、本開示の実施形態に係る入力の拡大図を示す。
【００１６】
【図６Ａ】本開示の実施形態に係る、液晶が利用された電子ディスプレイの一部の正面視分解斜視図を示す。
【００１７】
【図６Ｂ】本開示の実施形態に係る、有機発光ダイオードが利用された電子ディスプレイの一部の正面視分解斜視図を示す。
【００１８】
【図６Ｃ】本開示の実施形態に係る、液晶が利用された電子ディスプレイの正面図であり、液晶が１つの動作状態にあるときを示している。
【００１９】
【図６Ｄ】本開示の実施形態に係る、液晶が利用された図6Cの電子ディスプレイであり、液晶が第２の動作状態にあるときを示している。
【００２０】
【図７Ａ】本開示の実施形態に係るフィルタリングを実行する電子ディスプレイの正面斜視図を示す。
【００２１】
【図７Ｂ】本開示の実施形態に係るフィルタリングを実行する電子ディスプレイの正面斜視図を示す。
【００２２】
【図７Ｃ】本開示の実施形態に係る、１つ以上の有機発光ダイオードのパネルと組み合わせて利用される液晶のパネルの正面斜視図を示す。
【００２３】
【図８】本開示の実施形態に係るカメラシステムの側面図を示す。
【００２４】
【図９】本開示の実施形態に係るカメラシステムの正面斜視図を示す。
【００２５】
【図１０】本開示の実施形態に係るカメラシステムの側面図を示す。
【００２６】
【図１１】本開示の実施形態に係る、モバイルデバイスのカメラと組み合わせて使用するための電子ディスプレイの拡大図を示す。
【発明を実施するための形態】
【００２７】
（詳細な説明）
図1は、本開示の実施形態に係るフィルタ10の正面図を示す。フィルタ10は、好ましくは、カメラシステムの一部としてのカメラレンズと一緒に使用するためのものである。フィルタ10は、電子ディスプレイ12を含んでもよく、ハウジング14を含んでもよい。フィルタ10は、コントローラ16、電源18、および入力20を含んでもよい。
【００２８】
電子ディスプレイ12は、透明（光学的に光透過性）であってもよく、可視光を透過することができる。電子ディスプレイ12は、電子ディスプレイ12のフィルタリングが電子的に制御されるように構成されていてもよい。電子ディスプレイ12は、カメラレンズのために電子ディスプレイ12の物体側の画像をフィルタリングするように構成されていてもよい。フィルタリングは、様々な方法で行うことができ、電子ディスプレイ12を透過する光の量を減らしたり、電子ディスプレイ12を透過する光の色を変化させたり、もしくは透過する光の特性を変化させたりすることを含んでもよい。例えば、フィルタリングは、電子ディスプレイ12を透過した光を拡散させたり、電子ディスプレイ12を透過した光を様々な方向に広げたりすることによって、電子ディスプレイ12の物体側の画像をフィルタリングすることによって、様々な効果を引き起こすことができる。フィルタリングは、電子ディスプレイ12の物体側の画像を重畳して表示する電子ディスプレイ12から光を出射することによって行われてもよい。出射光は、カメラレンズによって受光される光の色や量（強度）を変化させてもよい。
【００２９】
電子ディスプレイ12は、１つまたは複数の画素（図6A中、符号22として示され、図6B中、符号24として示される）を含んでいてもよい。複数の画素が利用される場合、画素の配列が提供されてもよい。他の実施形態では、単一画素（または1ｘ1画素配列）が利用されてもよい。電子ディスプレイ12は、電子ディスプレイ12に含まれる液晶を利用して、画像のフィルタリング処理を行ってもよい。また、電子ディスプレイ12は、画像をフィルタリングするために、電子ディスプレイ12に含まれる有機発光ダイオードを利用してもよい。他の実施形態では、電子フィルタリングの他の形態が利用されてもよい。例えば、本明細書に開示されるような電子ディスプレイは、量子ドット等を利用してもよい。カメラで使用するために画像をフィルタリングする目的で調整することが可能な電子技術のすべての形態が、本明細書に開示されるような電子ディスプレイの範囲に含まれることが理解されよう。
【００３０】
電子ディスプレイ12は、前面26と、背面（前面に対向する）とを有してもよく、１つ以上の側面28を含んでもよい。図1では、4つの側面が示されている。ハウジング14は、電子ディスプレイ12の一側面に配置され、フィルタ10の境界を形成してもよい。１つの実施形態では、境界は、電子ディスプレイ12の全体を囲むように延びてもよく、電子ディスプレイ12のための枠を形成してもよい。ハウジング14は、フレームの一部を構成してもよく、フレームは、電子ディスプレイ12の全部または一部の周りに延びていてもよい。
【００３１】
フィルタ10は、マットボックスの標準的なフィルタスロットに収まるようなサイズであってもよい。フィルタ10は、カメラ用のサイズであってもよいし、映画撮影カメラ用のサイズであってもよい。フィルタ10は、矩形状の形状を有していてもよい。１つの実施形態では、フィルタ10は、垂直方向の寸法が約4インチ、水平方向の寸法が約5.65インチの大きさであってもよい。１つの実施形態では、フィルタ10は、垂直方向の寸法が約6インチ、水平方向の寸法が約6インチの大きさであってもよい。フィルタ10は、厚さ約4ミリの大きさであってもよい。他の実施形態では、フィルタ10のサイズは変更されてもよい。１つの実施形態では、フィルタ10の寸法は、水平方向または垂直方向の寸法が7インチを超えないように構成されてもよい。１つの実施形態では、フィルタ10は、水平方向または垂直方向の寸法が6.5インチを超えないように構成されてもよい。１つの実施形態では、フィルタ10の厚さは、10ミリメートルを超えない大きさであってもよい。１つの実施形態では、電子ディスプレイ12は、水平方向または垂直方向の寸法が7インチを超えない大きさを有してもよく、あるいは水平方向または垂直方向の寸法が6.5インチを超えない大きさを有してもよい。１つの実施形態では、電子ディスプレイ12は、水平方向または垂直方向の寸法が140ミリメートルを超えない大きさを有してもよい。フィルタ10および電子ディスプレイ12のサイズは、好ましくは、フィルタ10がカメラレンズと一緒に使用できるように、カメラレンズのサイズを考慮して設定され、そのサイズは、特定のタイプのカメラおよびカメラ用アプリケーションに応じて変化することが理解される。
【００３２】
１つの実施形態では、フィルタ10および電子ディスプレイ12の形状は、図１に示す形状から変更されてもよい。例えば、丸形や円形、正方形などの他の形状を利用してもよい。
【００３３】
電子ディスプレイ12は、光が通過するためのフィルタ10の一部を構成している。ハウジング14およびフィルタ10の他の電気部品は、ハウジング14および他の電気部品がカメラレンズによって撮像される画像の視野を妨げないように、フィルタ10の視野開口の外側に配置されていることが好ましい。しかしながら、他の実施形態では、ハウジング14および電気部品は、視野開口内にあってもよい。例えば、ハウジング14および／または電気部品は、それらの存在によって画像の視野が妨げられないように、透明であってもよい。
【００３４】
コントローラ16は、電子ディスプレイ12のフィルタリングを電気的に制御するために使用されてもよい。コントローラ16は、電子ディスプレイ12に電気的に結合されていてもよい。コントローラ16は、電子ディスプレイ12のフィルタリングを制御するためのマイクロプロセッサ等を含んでもよい。コントローラ16は、電子ディスプレイ12の特性を変化させてフィルタリングを電気的に制御してもよい。例えば、コントローラ16は、電子ディスプレイ12を透過する光の量を変化させてもよく、光の色を変化させてもよく、また電子ディスプレイ12から画像を変化させる光を出射させてもよい。コントローラは、使用されている電子技術の特定のタイプに応じて、電子ディスプレイの１つ以上の特性を変化させる目的で有用なように、異なる構成となることが理解されよう。図1に示す実施形態では、コントローラ16は、ハウジング14内に配置されてもよい。しかしながら、他の実施形態では、コントローラ16は、電子ディスプレイ12とは別個に配置されていてもよい。例えば、コントローラは、レンズシステムの一部であってもよく、電子ディスプレイ12がレンズシステムに結合するときに、電子ディスプレイ12に装着されてもよい。また、コントローラ16は、レンズシステムから離れて配置されてもよく、もしくは、電子ディスプレイ12と通信してディスプレイ12を制御してもよい。コントローラ16は、電気回路（不図示）を介して電子ディスプレイ12と電気的に接続されてもよい。電気回路は、電子ディスプレイ12を通過した画像に写り込まないように透明であってもよい。
【００３５】
電源18は、フィルタ10の電気部品に電力を供給するために使用されてもよい。電源は、図1に示すように、ハウジング14内に配置されてもよく、他の実施形態では、フィルタ10から離れて配置されてもよい。例えば、電源18は、レンズシステムの一部であってもよく、フィルタ10がレンズシステムに結合するときに、フィルタ10に装着されてもよい。他の実施形態では、電源18は、レンズシステムから離れて配置されてもよい。電源18は、電池、コンデンサ、太陽電池、ＡＣまたはＤＣ電源、外部エネルギーを受信するためのプラグ、他の形態の電源を備えてもよい。１つの実施形態では、電源18は、誘導送信機（誘導コイルまたは他の形態の送信機など）から誘導エネルギーを受信するための誘導受信機（誘導コイルまたは他の形態の受信機など）を備えてもよい。誘導受信機は、誘導送信器に近接して配置されてもよく、フィルタ10に電力を供給するため、またはフィルタ10のバッテリまたは他の蓄電装置を充電するためのエネルギーを無線で受信してもよい。１つの実施形態では、例えば、電源18が透明である実施形態においては、電源18は、電子ディスプレイ12の視野開口内に配置されてもよい。
【００３６】
入力20は、コントローラ16を制御するためのコントロールを受信するためのものであってもよい。入力20は、図1に示すように、ハウジング14内に配置されてもよいし、コントローラ16または電源18と同様、ハウジング14から離れて配置されてもよい。例えば、入力20は、レンズシステムの一部であってもよく、フィルタ10がレンズシステムに結合するときに、フィルタ10に装着されてもよい。他の実施形態では、入力20は、レンズシステムから離れて配置されてもよい。入力20は、無線信号受信機を備えてもよい。入力20は、Ｗｉ-Ｆｉ、Ｂｌｕｅｔｏｏｏｔｈ、ピアツーピア接続、セルラー接続、無線接続、または他の形態の無線信号通信を介して無線信号を受信するように動作してもよい。１つの実施形態では、入力20は、コントロールを受信するために物理的に接続する有線接続を備えてもよい。例えば、有線接続により、カメラシステムの操作者が電子ディスプレイ12を制御することができるようにしてもよい。有線接続は、コントロールを受信するプラグ等の有線接続を備えてもよい。１つの実施形態では、入力20は、ユーザが制御を提供することを可能にする手動入力（ノブ、ボタン、スライダ、または他の形態の入力など）を備えてもよい。また、他の形態の入力20を利用してもよい。入力20が受信するコントロールは、様々な形態を有することができ、制御信号、手動入力、または他の形態のコントロールから構成されていてもよい。コントロールは、無線（または有線接続）で提供されてもよい。コントロールは、コントローラ16を制御するためのコマンドであってもよい。
【００３７】
入力20は、制御端末30と接続されてもよい。制御端末30は、入力20と無線で通信するリモート端末を構成してもよい。制御端末30は、入力20にコントロールを送信するように構成されてもよく、入力20からフィルタ10の状態に関する情報を受信するように構成されてもよい。このように、入力20は、受信機だけでなく、送信機を構成してもよい。１つの実施形態では、制御端末30は、有線接続を介して入力20と通信してもよい。制御端末30は、コンピュータ、タブレット、スマートフォンなどから構成されてもよく、他の形態の端末装置から構成されてもよい。制御端末30は、フィルタ10専用のコントローラを構成してもよい。制御端末30は、例えば、フィルタ10が利用されるレンズシステムまたはカメラシステムの一部であってもよい。
【００３８】
制御端末30は、電子ディスプレイ12のフィルタリングを設定または制御するために利用されてもよい。制御端末30は、ユーザが電子ディスプレイ12のフィルタリングを設定または制御するために利用される制御インターフェースを有していてもよい。例えば、制御インターフェースは、電子ディスプレイ12のフィルタリングを設定または制御するために使用されるソフトウェアアプリケーション（または「アプリ」）の一部であってもよい。また、制御インターフェースは、フィルタ10の状態に関して受信した情報を表示してもよい。図4は、例えば、タブレットの形態の制御端末30を示している。ディスプレイ31は、カメラで受信した画像を表示してもよい。制御端末30は、タッチスクリーンの形態の制御インターフェースを利用してもよい。制御インターフェースは、フィルタ10のフィルタリングの色、明るさ、または他の形態を変化させることができる、タッチスライダなどのインターフェースコントロール33を含んでもよい。１つの実施形態では、ユーザは、フィルタリングが行われるべき画像の位置を示すために、制御インターフェースの特定の部分にタッチしてもよい。例えば、ユーザは、雲34を囲ったりタッチするなどして、雲のみのフィルタリングが変化するように選択してもよい。ユーザは、フィルタリングを行うために、または異なるタイプのフィルタリングを行うために、画像全体または画像の一部を選択してもよい。他の形態の制御インターフェースおよびインターフェースコントロール33が利用されてもよい。
【００３９】
他の実施形態では、電子ディスプレイ12のフィルタリングを設定または制御するために、他の形態のソフトウェアが使用されてもよい。他の制御インターフェースを利用してもよい。例えば、標準的なキーパッド、または一連のボタンやノブを制御インターフェースとして利用してもよい。ユーザは、電子ディスプレイのフィルタリングの所望のプロパティを設定してもよいし、他の形態の制御と共に、電子ディスプレイ12が実行する変動フィルタリングシーケンスを選択してもよい。
【００４０】
図5A-5Cは、本明細書に開示されたフィルタで利用され得る、他の入力の形態を示している。図5Aでは、ボタンの形の入力35がフィルタの本体に設けられていてもよい。ユーザは、ボタンを押すことにより、入力35にコントローラを制御するためのコントロールを受信させることができる。図5Bでは、スライダの形の入力37がフィルタの本体に設けられていてもよい。ユーザは、スライダをスライドさせることにより、入力37にコントローラを制御するためのコントロールを受信させることができる。図5Cでは、制御端末41に結合されたコード39の形態の入力がフィルタに結合されてもよい。ユーザは、コントローラの制御やフィルタの動作を制御するための制御端末41を介してコントロールを入力してもよい。
【００４１】
１つの実施形態では、フィルタは、カメラシステムのレンズコントロールに結合されることによって操作されてもよい。例えば、入力は、カメラの絞りやフォーカスの変化、またはカメラの他の光学的特徴の変化に応じてフィルタのフィルタリングが変化するように構成されていてもよい。これは、カメラシステムのレンズコントロールとのコード接続または他の形態の接続（例えば、ワイヤレス）を通して生じる可能性がある。
【００４２】
１つの実施形態では、フィルタは、受信された画像またはカメラに提供された画像に基づいて自律的に操作されてもよい。カメラに提供された画像を検出するためにセンサが利用されてもよく、受信された画像に基づいてフィルタリングを自動的に変化させるために、コントロールがフィルタ入力に提供されてもよい。例えば、シーンが明るい場合には、フィルタは、画像の明るさを自動的に減少させるように構成されてもよい。センサは、カメラと一緒に配置されてもよく、他の場所に配置されてもよい。１つの実施形態では、カメラは、カメラによって受信された画像に基づいて、フィルタの入力に対してコントロールを提供するように構成されてもよい。例えば、カメラ（カメラのデジタルイメージセンサなど）が明るいシーンを見ていることを検出した場合、明るさを減少させるためにフィルタの入力にコントロールを提供することができる。従って、フィルタは、画像に基づいてフィードバックループで動作することができる。
【００４３】
電子ディスプレイ12、コントローラ16、電源18、および／または入力20は、レンズシステムに着脱可能に結合されたユニットを構成してもよい。ユニットは、図1に示すように、結合された電子ディスプレイ12とハウジング14とを備えてもよい。ユニットは、現在の非電子フィルタと同様のサイズおよび形状を有していてもよく、よって、これらの非電子フィルタと交換して、同様のマットボックス、またはレンズにフィルタを結合する他の方法で使用することができる。１つの実施形態では、フィルタ10およびその部品は、レンズシステムと一体であってもよく、取り外し可能でなくてもよい。他の実施形態では、特定の部品は、レンズシステムから分離可能であってもよく、特定の部品は、レンズシステムと一体であってもよい。他の実施形態では、本明細書に開示された特定の部品は、完全に外されてもよい。
【００４４】
電子ディスプレイ12は、画像を所望の量、または所定の態様でフィルタリングしてもよい。図1に示す実施形態では、電子ディスプレイ12は、電子ディスプレイ12を通して見られる画像の全体をフィルタリングしている。画像には、人物32、雲34、樹木36が含まれている。樹木36の全体、雲34の全体、および人物32の一部がフィルタリングされる（フィルタリングは、図1中の斜線で表される）。フィルタリングは、電子ディスプレイ12を通って伝達される画像からの光の量を減らしたり、画像から電子ディスプレイ12を通過する光の色を変化させたり、透過する光の特性を変化させる（例えば、画像を拡散させたり、フレアを付与することによって）その他の方法によって行われてもよい。また、フィルタリングは、電子ディスプレイ12の物体側の画像に重畳される、電子ディスプレイ12からの出射光によって含まれてもよい。出射光は、カメラレンズによって受光される光の色や量（強度）を変化させてもよい。
【００４５】
電子ディスプレイ12を透過する画像からの光が減少する実施形態では、光の減少は、様々な形態を有してもよい。例えば、光の減少は、画像のすべての色に対して実質的に均等にフィルタリングすることができる中性濃度フィルタ（ＮＤフィルタ）と同様であってもよい。しかしながら、フィルタリングの量は、電子的に変化させることができ、それにより、電子ディスプレイが電子的な可変中性濃度フィルタとして機能することを可能にする。１つの例では、光の減少は、電子ディスプレイ12内の液晶によって、所望の量の光が電子ディスプレイ12を通過しないように、電子ディスプレイ12内の液晶によって引き起こされてもよい。液晶による光の透過率は、電気的に変化させることができる。光の透過率は、約50％（0.3NDフィルタと同様）から約25％（0.6NDフィルタと同様）まで、約12.5％（0.9NDフィルタと同様）まで、約6.25％（1.2NDフィルタと同様）まで、約3.125％（1.5NDフィルタと同様）まで、約1.5625％（1.8NDフィルタと同様）まで、約0.78125％（2.1NDフィルタと同様）まで、および全透過率の上、下、およびその間の範囲であってもよい。また、カラーフィルタが電子ディスプレイ12と共に使用される実施形態では、電子ディスプレイ12の個々の画素を通過する光の色を変化させてもよい。光の透過率（またはフィルタの濃度）は、必要に応じて、電子的に任意の所望量（例えば、99％、65％等）に変化させることができる。電子ディスプレイ12を通過する光の色は、任意の所望のスペクトルの色に変化させることができる。
【００４６】
有機発光ダイオード（OLED）が利用される実施形態では、OLEDは、様々な明るさレベルで光を発するように設定されてもよく、カラーフィルタリングが利用される実施形態では、様々な色レベルで光を発するように設定されてもよい。電子ディスプレイ12は、画像からの光に、OLEDからの光を所定の明るさ及び色（カラーフィルタリングが利用される実施形態では）で加えることによって、画像をフィルタリングしてもよい。画像からの光は、電子ディスプレイ12を透過し、OLEDから加えられた光によって変更されてもよい。変更は、画像全体（図1に示すように）で行われてもよく、画素単位で行われてもよい。１つの実施形態では、OLEDは、画像の明るさを効果的に低減するために、所定の明るさの光を発するように構成されてもよい。
【００４７】
電子ディスプレイ12の電子的性質上、電子ディスプレイ12の１つ以上の部分は、多様なフィルタリング特性を有していてもよい。画素単位でばらつきが生じる場合がある。図2は、例えば、フィルタリングされた画像を電子ディスプレイ12の一部38に有する電子ディスプレイ12を図示している。なお、ディスプレイの別の部分40はフィルタリングされた画像を有していない。つまり、電子ディスプレイ12は、目盛り付きフィルタとして動作している。フィルタリングされた部分と非フィルタリングされた部分との間の遷移は、急なものであってもよく、必要に応じて滑らかであってもよい。
【００４８】
図3は、フィルタリングされた選択部分を有する電子ディスプレイ12を示している。図3の例では、樹木36の上部と雲34はフィルタリングされているが、他の部分はフィルタリングされていない。「覆い焼き・焼き込み」効果の一形態が発生する場合がある。
【００４９】
電子ディスプレイ12のフィルタリングの種類および位置は、画素単位で行われてもよい。図1-3に示すように、必要に応じて、様々なフィルタリングの種類および位置が提供されてもよい。フィルタリングの変形は、フィルタの入力に提供されるコントロールに基づいて行われてもよい。本明細書に開示されているように、コントロールは、様々な形態をとることができる。
【００５０】
電子ディスプレイ12のフィルタリングの変形は、動的に行われてもよい。フィルタリングの種類や位置は、動的に変化してもよい。ユーザは、例えば、様々なフィルタリングパターンが生じるように、個々の画素のフィルタリングを迅速にシフトするために電子ディスプレイ12を電子的に制御することができる（例えば、図1に示されたフィルタリングパターンから、図2に示されたパターンへ、図3に示されたパターンへと動的にシフトすることができる）。ユーザは、制御端末30等から受信したコントロールを介して、フィルタリングの任意の機能を設定することができる。フィルタリングは、画素単位で設定されてもよい。例えば、図4に示すコントロールインターフェースでは、ユーザは、所望のフィルタリング特性を得るために個々の画素を選択することができる。
【００５１】
フィルタリングは、濃度領域を通って滑らかに変化してもよい。カスタムフィルタパターンを形成するためにフィルタリングを使用してもよい。フィルタリングは、カメラ制御と組み合わせて使用してもよい。例えば、カメラの絞りは、フィルタリングと同様に、前景の物体にピントを合わせたまま、背景の物体にピントを合わせたりピントを外したりするように変化してもよい（絞りフィルタリングの一形態）。
【００５２】
電子ディスプレイ12の利点は、典型的には非電気的なフィルタがカメラシステムで使用されており、カメラシステムから手動で交換する必要があることである。加えて、撮影中にフィルタを交換することはできない。さらに、カメラが昇降式のクレーンに設置されている場合、個人が手動でフィルタを交換するためには、クレーンを降ろす必要がある。電子ディスプレイ12は、遠隔で変更できる可変フィルタを可能にする。フィルタは、撮影中に動的に変更することができる。ユーザは、物理的にカメラに触れる必要はない。
【００５３】
図6Aは、液晶が利用されている電子ディスプレイ12の部分の実施形態を示している。ディスプレイ12の部分は、ディスプレイ12の前面および後面にそれぞれ対応する、前面パネル42および後面パネル44を含んでもよい。パネル42、44は光学ガラス製であってもよい。ディスプレイ12は、互いに直交する方向に配向された偏光フィルタパネル46、48を含んでもよい。トランジスタと電極を備えるコントロール層50を利用してもよい。液晶52が利用され、画素22のアレイに分割されてもよい。カラーフィルタリングが望まれる実施形態では、カラーフィルタ54が使用されてもよい。カラーフィルタ54は、組み合わせて着色画素を形成する、赤色、緑色、および青色のサブピクセルを含んでもよい。着色されたサブピクセルを透過する光は、電子ディスプレイ12を透過する光の色を決定する。液晶ディスプレイ（LCD）技術の原理に沿って、液晶52への電圧は、液晶の配向を変化させるために変化させてもよい。液晶への電圧に基づいて、様々な量の光が液晶52によって透過され得る。しかしながら、電子ディスプレイ12では、標準的なLCD技術とは異なり、バックライトがない。画像自体は、電子ディスプレイ12を通過した光を生成する。他の実施形態では、液晶を用いた電子ディスプレイ12は、図示したものとは異なる用途および構造を有していてもよい。例えば、１つの実施形態では、１つの画素が利用されてもよく（1ｘ1配列）、画像の明るさを所望の量に変化させるために利用されてもよい。１つの実施形態では、内部層50、52、54の順序または存在は、電子ディスプレイ12の所望の構造に応じて変化してもよい。１つの実施形態では、偏光フィルタパネル46、48の存在または構造は、必要に応じて変化してもよい。
【００５４】
図6Bは、OLEDが利用される電子ディスプレイ12の部分の実施形態を示している。ディスプレイ12の部分は、ディスプレイ12の前面および後面にそれぞれ対応する、前面パネル56および後面パネル58を含んでもよい。パネル56、58は光学ガラス製であってもよい。ディスプレイ12は、カソード60とアノード62を含んでもよい。電子制御64は、トランジスタマトリクスの形態で提供されてもよい。画素24の配列に分割された有機層66が設けられてもよい。カラーフィルタリングが提供される実施形態では、画素24は、発光色のサブピクセルに配置されてもよい。図6Bに示すように、３つの画素24が示されており、これらは、赤、緑、および青の画素であってもよい。画素24は、発光色（例えば、紫色やオレンジ色の発光色）のサブピクセルに配置されていてもよい。他の実施形態では、色はOLEDによって提供されない場合がある。また、OLEDパネルは、透明であってもよく、OLEDからの光によって変更された画像の光を透過させてもよい。OLEDの構成は、図6Bに示す構成とは異なる場合がある。１つの実施形態では、構成は、アクティブマトリクス（AMOLED）であってもよく、他の実施形態では、パッシブ（PMOLED）であってもよい。１つの実施形態では、単一のOLED画素（1ｘ1配列）が提供されてもよい。
【００５５】
図6A〜6Dに示すパネルは、反射防止ハードコーティングが施されていてもよい。Ｒａｖｇは、入射角が15度で、400-700nmにおいて0.2％以下であってもよい。透過波面精度は、好ましくは1/2λ以下であってもよい。
【００５６】
液晶を使用するための図6Aに示された実施形態は、ある種の液晶ディスプレイアーキテクチャを示しているが、本明細書に開示されているような電子ディスプレイの目的で液晶を利用する電子デバイスは、他のタイプのアーキテクチャを有していてもよく、そのようなすべての異なるアーキテクチャは本開示の範囲内にあることが理解されよう。図6Cから6Eには、図6Aに示されているものとは異なるアーキテクチャを有する液晶を利用した電子ディスプレイ100の実施形態が示されている。この例では、液晶は、２つの材料（すなわち、染料材料または「ゲスト」と、液晶材料または「ホスト」）で満たされた液晶セルからなるゲストホスト液晶アーキテクチャで提供される。一例では、ゲスト材料およびホスト材料の両方が、セルの内部で棒状の形状を呈している。このような電子ディスプレイの透過状態は、液晶層の配向の違いによって制御することができる。
【００５７】
電子ディスプレイを通る光の透過は、液晶のゲストホスト色素層によって制御される。この層の上に異なる電圧を印加することで、液晶のダイレクターの向きを異なる状態に変化させることができる。色素分子の化学構造が液晶分子と似ているため、色素分子は液晶ダイレクターと整列する。図6C〜6Dは、電子ディスプレイ100を示すと共に、２つの代表的な状態のためのダイレクター構造の概略図を提供する。無偏光の光が色素材料に入射すると、偏光依存性吸収が起こる。液晶ゲストホスト色素層にねじれを導入することで、液晶層を介して色素の配向が異なるため、吸収が偏光により依存しないものとなる。
【００５８】
図6Cは、光の透過を減少させるために液晶ダイレクターが第１の状態（102）に配置された電子ディスプレイ100を図示している。図6Dは、光の透過を増加させるために液晶ダイレクターが第２の状態（104）に配置された電子ディスプレイ100を図示している。電子ディスプレイに印加される電界に基づいて、液晶ダイレクターのアライメントの変位が変化する。
【００５９】
他の実施形態では、他の形態の電子ディスプレイが使用されてもよい。
【００６０】
図7Aは、液晶63が光を拡散させることによって画像をフィルタリングするために利用される電子パネル61の実施形態を示している。液晶は、電圧または他の形態のエネルギーが液晶から印加または除去されたときに、ランダムに配向するように構成されていてもよい。液晶の向きが変わると、光の散乱が起こり、光の拡散が生じる場合がある。拡散の程度は、液晶から印加または除去される電圧または他の形態のエネルギーの量を変化させることによって変化させることができる。図7Aの右端の画像は、液晶のランダムな配向を示している。
【００６１】
図7Bは、液晶67または粒子（ガラス繊維の破片など）が光を広げることによって画像をフィルタリングするために利用される電子パネル65の実施形態を示している。液晶または他の粒子は、電圧または他の形態のエネルギーが印加または除去されたときに、ある方向に配向するように構成されていてもよい。例えば、液晶等の粒子は、水平方向に配向するように構成されてもよい。液晶または粒子の配向が水平に整列すると、パネル65を通過する光の水平フレアが、「ストリーク」フィルタの動作に類似して発生する場合がある。他の実施形態では、アライメントの他の方向およびフレアリングの他の方向が提供されてもよい。例えば、垂直フレア、または斜めのフレアが提供されてもよく、これもまた、「ストリーク」フィルタの動作と同様である。１つの実施形態では、液晶または他の粒子は、放射状フレアが生じるように、放射状に配向されて構成されてもよい。フレアリングの程度は、液晶または粒子から印加または除去される電圧または他の形態のエネルギーの量を変化させることによって変化させることができ、それに応じて液晶または粒子の配向を変化させる。図7Bの右端の画像は、光の水平方向のフレアを生じさせる、液晶または粒子の水平方向の配向を示している（他の配向も提供されてもよいが）。
【００６２】
１つの実施形態では、液晶とOLEDの組み合わせが利用されてもよい。図7Cは、１つ以上のOLEDを含む電子パネル71と液晶を含む電子パネル73とを組み合わせて利用する電子パネル69の構成を示している。パネル71、73は、OLEDパネルおよび液晶パネルのそれぞれについて、本明細書に開示された方法に従って動作してもよい。パネル71、73は、両パネル71、73を光が通過するように積層された態様で構成されてもよい。従って、電子パネル73は、画像を暗くしたり明るくしたり（または本明細書に開示されている他の光学効果を生成したり）してもよく、電子パネル71は、フィルタリングを生成するために、結果として得られる画像上にオーバーレイ光を追加してもよい。
【００６３】
本明細書に開示された電子パネルは、本明細書に開示された装置、システム、および方法によって制御されてもよい。パネルとパネル効果の組み合わせは、必要に応じて提供され得る。
【００６４】
図８は、カメラシステム70の側面図を示している。カメラシステム70は、カメラ72を含んでもよく、レンズシステム74を含んでもよい。レンズシステム74は、カメラレンズ76を含んでもよく、マットボックス78を含んでもよい。マットボックス78は、フィルタ10を受けるためのフィルタスロット80を含んでもよい。フィルタ10は、カメラレンズ76の物体側82（カメラが画像を受け取る画像側とは反対側）に配置されてもよい。カメラレンズ76は、１つ以上の個別のレンズ素子から構成されてもよい。
【００６５】
フィルタ10は、マットボックス78に着脱可能に結合されていてもよい。マットボックス78は、従来の映画撮影用のマットボックスであってもよい。
【００６６】
他の実施形態では、レンズシステム74またはカメラシステム70へのフィルタ10の結合の他の形態が利用されてもよい。例えば、ねじ込み式、スナップ式、または他の形態の機械的接続が結合のために提供されてもよい。
【００６７】
図9は、カメラシステム70の正面斜視図を示す。フィルタ10は、マットボックス78内に設置されている。
【００６８】
図10は、フィルタ10がカメラレンズ76とカメラ72の受像器69との間に配置された実施形態を示している。受像器69は、カメラ画像を受信するためのデジタルセンサやフィルムなどから構成されてもよいし、他の形態の受像機から構成されてもよい。フィルタ10は、本明細書に開示されたフィルタリングを提供するように構成されていてもよいが、カメラレンズ76の画像側と受像器69の物体側に構成されていてもよい。レンズ76を構成する複数のレンズ素子73、75、77が示されている。フィルタ10は、カメラシステム71の光路内に配置されている。特定の実施形態では、フィルタ10は、好ましくは、本明細書に開示されたOLEDフィルタリングを提供するためのOLEDを含んでもよい。フィルタ10は、カメラシステム71に着脱可能に、または恒久的に結合されていてもよい。
【００６９】
本明細書の実施形態では、カメラ72は、動画撮影用のカメラ（フィルムまたはデジタルカメラ）であってもよく、静止画撮影用のカメラ、例えばスチルフォト用のカメラであってもよい。カメラは、映画撮影用（映画製作用）に使用される場合もあれば、映画撮影以外の用途や商業目的で使用される場合もある。１つの実施形態では、カメラは、モバイルデバイス（スマートフォンまたは他の形態のモバイルデバイス）であってもよい。
【００７０】
図11は、例えば、本明細書に開示された実施形態に係る電子ディスプレイ81を含むフィルタ79を示す。フィルタ79は、モバイルデバイス85のカメラのカメラレンズ83の物体側に結合される。本明細書に開示されたフィルタリングが提供されてもよい。フィルタ79は、モバイルデバイス85に着脱可能に結合されていてもよい。着脱可能な結合は、接着剤、ねじまたはスナップフィット、あるいは他の形態の結合を介して行われてもよい。１つの実施形態では、フィルタ79は、カメラレンズ83の画像側に配置されてもよく、したがって、モバイルデバイス85に恒久的に結合されてもよい。
【００７１】
１つの実施形態では、フィルタ、電子ディスプレイ、および他の装置、システム、並びに方法は、カメラでの使用に限定されない。フィルタ、電子ディスプレイ、および他の装置、システム、並びに方法は、他の光学的実施形態、例えば、拡張現実ビューア（ヘッドセット、ハンドセット、およびそのようなものを含む）および仮想現実ビューア（ヘッドセット、ハンドセット、およびそのようなものを含む）で使用することができる。
【００７２】
本開示は、本明細書に開示された装置、およびシステムに限定されるものではないが、本明細書に開示された装置、およびシステムのいずれかを使用、提供、または実行するすべての方法、およびそれらのそれぞれの特徴にも及ぶ。
【００７３】
締めくくりとして、本明細書の態様は具体的な実施態様を参照して強調されているが、当業者であれば、これらの開示されている実施態様は、本明細書に開示されている主題の原理の単に例示であることが容易に分かるであろうことを理解すべきである。従って、開示されている主題は、決して本明細書に記載されている特定の方法論、手順、及び／又は試薬などに限定されないことを理解すべきである。従って、本明細書の趣旨から逸脱することなく、本明細書中の教示に従って、開示されている主題に対する様々な修正又は変更又はそれらの他の構成が可能である。最後に、本明細書中で使用されている専門用語は、単に特定の実施態様を記述するためのものであり、本明細書に開示されているシステム、装置、及び方法の範囲を限定するものではく、特許請求の範囲によってのみ定義される。従って、システム、装置、及び方法は、詳細に図示及び記載されているものに限定されない。
【００７４】
本発明者らに知られている本発明を実施するための最良の形態を含むシステム、装置、及び方法の特定の実施態様が、本明細書に記載されている。当然のことながら、これらの記載されている実施態様の変形形態は、上記記載を読めば当業者には明らかである。本発明者は、当業者がそのような変形形態を適宜用いることを想定しており、本発明者らは、本明細書に具体的に記載されているものとは異なる方法でシステム、装置、及び方法が実施されることを企図している。従って、システム、装置、及び方法は、本明細書に添付されている特許請求の範囲に列挙されている主題の全ての変形形態及び均等物を適用法により認められるものとして含むものである。さらに、本明細書に特に明記しない限り、あるいは文脈に明らかに矛盾しない限り、その全ての可能な変形形態における上記実施態様の任意の組み合わせがシステム、装置、及び方法により包含される。
【００７５】
システム、装置、及び方法の他の実施態様、要素、又は工程のグループ化は、本発明を限定するものとして解釈されるべきではない。各グループの構成要素は、個々に、あるいは本明細書に開示されている他のグループの構成要素との任意の組み合わせで参照及び特許請求することができる。グループの１つ以上の構成要素は、利便性及び/又は特許性を理由に、グループに含めたり、そこから削除したりすることができるものと想定される。任意のそのような包含又は削除が生じた場合、本明細書は、そのグループを修正されたものとして含めるものとし、従って、添付の特許請求の範囲に使用されている全てのマーカッシュ群の記載を満たすものとする。
【００７６】
特に明記しない限り、本明細書及び特許請求の範囲に使用されている特性、項目、量、パラメータ、性質、用語などを表わす全ての数は、「約」という用語により、全ての場合に修正されるものとして理解されるべきである。本明細書で使用される「約」という用語は、そのように定量された特性、項目、量、パラメータ、性質又は用語が、変動し得るが、本明細書で論じられている所望の操作またはプロセスを実行し得る近似値を包含することを意味する。
【００７７】
システム、装置、及び方法を記載する文脈(特に、以下の特許請求の範囲の文脈)に使用される「１つの（a）」「１つの（an）」「その（前記）（the）」という用語及び同様の指示物は、本明細書に特に明記しない限り、あるいは文脈に明らかに矛盾しない限り、単数及び複数の両方を包含するものと解釈されるべきである。本明細書に記載されている全ての方法は、本明細書に特に明記しない限り、あるいは文脈に明らかに矛盾しない限り、任意の好適な順序で実施することができる。本明細書に提供されているありとあらゆる例又は例を表わす言葉（例えば、「など」）の使用は、システム、装置、及び方法を単により良く理解するためのものであり、特許請求の範囲に別段の記載がない限り、システム、装置、及び方法の範囲に限定を課すものではない。本明細書中のいずれの言葉も、システム、装置、及び方法の実施に必須なあらゆる特許請求されていない要素を示すものとして解釈されるべきではない。
【００７８】
本明細書で参照及び特定されている全ての特許、特許公開公報、及び他の刊行物の開示内容全体が、例えば、システム、装置、及び方法に関して使用され得るそのような刊行物に記載されている組成物及び方法論を記載及び開示するために、個々に、かつ明確に参照により本明細書に組み込まれる。これらの刊行物は単に、本出願の出願日より前のそれらの開示のために提供されている。この点に関してはいずれも、本発明者らが、先願発明により、あるいはあらゆる他の理由のために、そのような開示に先行する権利がないということを認めるものとして解釈されるべきではない。これらの文献の日付に関する全ての記載又は内容に関する表現は、本出願人に利用可能な情報に基づくものであり、これらの文献の日付又は内容の正確性に関するいかなる承認も構成するものではない。
【図１】
2021521702.tif 000003
【図２】
2021521702.tif 000004
【図３】
2021521702.tif 000005
【図４】
2021521702.tif 000006
【図５Ａ】
2021521702.tif 000007
【図５Ｂ】
2021521702.tif 000008
【図５Ｃ】
2021521702.tif 000009
【図６Ａ】
2021521702.tif 000010
【図６Ｂ】
2021521702.tif 000011
【図６Ｃ】
2021521702.tif 000012
【図６Ｄ】
2021521702.tif 000013
【図７Ａ】
2021521702.tif 000014
【図７Ｂ】
2021521702.tif 000015
【図７Ｃ】
2021521702.tif 000016
【図８】
2021521702.tif 000017
【図９】
2021521702.tif 000018
【図１０】
2021521702.tif 000019
【図１１】
2021521702.tif 000020
【国際調査報告】
2021521702.tif 000021
2021521702.tif 000022
2021521702.tif 000023